(57)【要約】【課題】配線の損傷が起きにくい食器洗浄機を提供する。【解決手段】食器洗浄機１では、第１の平板部３１と一対の第２及び第３の平板部３２，３３とで断面略コ字状に形成された配線収容部材３０の配線収容空間Ｆ内に配線Ｌを這わすことで、配線Ｌの適切な収容を可能にする。また、配線収容部材３０を断面略コ字状にすることで、補強材として利用することができ、配線収容部材３０を例えば洗浄パネル１１に固定した場合には、洗浄パネル１１の撓みが防止される。また、配線収容空間Ｆの少なくとも一部を塞ぐようなスペーサ３５を採用することで、配線Ｌが配線収容部材３０から飛び出すことを適切に防止し、配線Ｌの暴れを適切に防止するができる。更に、このスペーサ３５は、洗浄室Ｓを形成する洗浄パネル１１と外装を形成する外装パネル６との間の間隙部Ｒ１内に収容されるので、洗浄パネルと外装パネルとの接触やパネル自体の撓みを適切に防止することができる。【選択図】  図６
2004313611.tif 000002
【特許請求の範囲】
【請求項１】
洗浄室を形成する洗浄パネルと、外装を形成する外装パネルとの間の間隙部に配線を収容した食器洗浄機において、
前記間隙部に配置されると共に、第１の平板部とこの第１の平板部から突出して互いに平行をなす一対の第２及び第３の平板部とで断面略コ字状に形成されて内部に配線収容空間が形成された配線収容部材と、
前記配線収容空間の少なくとも一部を塞ぐように前記配線収容部材に嵌め込まれて、前記間隙部に配置されるスペーサとを備えたことを特徴とする食器洗浄機。
【請求項２】
前記洗浄室を開閉する一対のドアを更に有し、前記間隙部には、一方の前記ドアを回動させる第１の回動アームと他方の前記ドアを回動させる第２の回動アームとが収容され、前記間隙部内において、前記第１の回動アームと前記第２の回動アームとの間に前記配線収容部材を配置させたことを特徴とする請求項１記載の食器洗浄機。
【請求項３】
前記スペーサは、前記配線収容部材の前記第２及び第３の平板部に対して着脱自在であることを特徴とする請求項１又は２記載の食器洗浄機。
【請求項４】
前記第２の平板部の遊端には、前記第３の平板部に向けて突出する第１の係止片が一体的に形成され、前記第３の平板部の遊端には、前記第２の平板部に向けて突出する第２の係止片が一体的に形成され、前記スペーサには、前記第１及び第２の係止片を挿入する切り込み溝が前記第２及び第３の平板部の長手方向に延在して設けられ、前記切り込み溝は、前記第２及び第３の平板部の長手方向において、前記スペーサの全長の途中まで延在することを特徴とする請求項３記載の食器洗浄機。
【請求項５】
前記スペーサには、前記配線収容空間内に嵌り込む突起部が設けられていることを特徴とする請求項１〜４のいずれか一項記載の食器洗浄機。
【発明の詳細な説明】
【０００１】
【発明の属する技術分野】
本発明は、洗浄室内に収容した食器類の洗浄やすすぎを行うための食器洗浄機に関するものである。
【０００２】
【従来の技術】
従来、このような分野の技術として、特開平８−２９９２４６号公報がある。この公報に記載された食器洗浄機は、左右のドアが同時に開閉するタイプのものであり、未洗浄食器を並べた食器ラックを片側から洗浄室内に搬入しながら、洗浄室内のラックを外へ押し出す作業が可能になっている。このような同時ドアオープンタイプの食器洗浄機は、流れ作業性を可能にするものである。また、操作ボタンなどを配列したオペレーションパネルが前面に設けられているような食器洗浄機の場合、オペレーションパネルと制御部とを繋ぐ配線は、外側に露出させることなく、洗浄パネルと外装パネルとの間の間隙部で這い回される。
【０００３】
【特許文献１】
特開平８−２９９２４６号公報
【特許文献２】
特開２００２−２６３０４６号公報
【０００４】
【発明が解決しようとする課題】
しかしながら、洗浄パネルと外装パネルとの間の間隙部で配線を這い回わす場合、間隙部内に配線を単に収容しているだけでは、食器洗浄機の動作中において配線が間隙部内で暴れる虞があり、これによって、断線が起こる場合がある。特に、この間隙部内に様々な可動部品が収容されているような食器洗浄機では、配線が断線し易いといった問題点があった。
【０００５】
本発明は、配線の損傷が起きにくい食器洗浄機を提供することを目的とする。
【０００６】
【課題を解決するための手段】
本発明に係る食器洗浄機は、洗浄室を形成する洗浄パネルと、外装を形成する外装パネルとの間の間隙部に配線を収容した食器洗浄機において、間隙部に配置されると共に、第１の平板部とこの第１の平板部から突出して互いに平行をなす一対の第２及び第３の平板部とで断面略コ字状に形成されて内部に配線収容空間が形成された配線収容部材と、配線収容空間の少なくとも一部を塞ぐように配線収容部材に嵌め込まれて、間隙部に配置されるスペーサとを備えたことを特徴とする。
【０００７】
この食器洗浄機では、第１の平板部と一対の第２及び第３の平板部とで断面略コ字状に形成された配線収容部材の配線収容空間内に配線を這わすことで、配線の適切な収容を可能にする。また、配線収容部材を断面略コ字状にすることで、補強材として利用することができ、配線収容部材を例えば洗浄パネルに固定した場合には、洗浄パネルの撓みが防止される。また、配線収容空間の少なくとも一部を塞ぐようなスペーサを採用することで、配線が配線収容部材から飛び出すことを適切に防止し、配線の暴れを適切に防止するができる。更に、このスペーサは、洗浄室を形成する洗浄パネルと外装を形成する外装パネルとの間の間隙部内に収容されるので、洗浄パネルと外装パネルとの接触やパネル自体の撓みを適切に防止することができる。
【０００８】
また、洗浄室を開閉する一対のドアを更に有し、間隙部には、一方のドアを回動させる第１の回動アームと他方のドアを回動させる第２の回動アームとが収容され、間隙部内において、第１の回動アームと第２の回動アームとの間に配線収容部材を配置させると好適である。このようなタイプのドアをもった食器洗浄機では、一対の回動アームが間隙部内に配置されることになるので、配線収容部材は、回動アームの回動の邪魔にならない位置として、第１の回動アームと第２の回動アームとの間に配置される。このような位置に配線収容部材を配置させると、この配線収容部材によって、第１の回動アームと第２の回動アームとの衝突を回避させることができる。さらに、スペーサの採用によって間隙部が一定に保たれ、回動アームのスムーズな動作が確保される。
【０００９】
また、スペーサは、配線収容部材の第２及び第３の平板部に対して着脱自在であると好適である。メンテナンスの際や組立て作業時において、配線の取り扱い性を良好にする。
【００１０】
また、第２の平板部の遊端には、第３の平板部に向けて突出する第１の係止片が一体的に形成され、第３の平板部の遊端には、第２の平板部に向けて突出する第２の係止片が一体的に形成され、スペーサには、第１及び第２の係止片を挿入する切り込み溝が第２及び第３の平板部の長手方向に延在して設けられ、切り込み溝は、第２及び第３の平板部の長手方向において、スペーサの全長の途中まで延在すると好適である。食器洗浄機に振動が発生すると、洗浄パネルや外装パネルも振動を起こすが、このような場合でも、配線収容部材からスペーサが脱落し難くなる。
【００１１】
また、スペーサには、配線収容空間内に嵌り込む突起部が設けられていると好適である。突起部によって配線収容空間を狭めることができ、これにより、配線収容部材内での配線の暴れが可能な限り小さくなる。
【００１２】
【発明の実施の形態】
以下、図面を参照しつつ本発明に係る食器洗浄機の好適な実施形態について詳細に説明する。
【００１３】
図１及び図２に示すように、食器洗浄機１は、ステンレス製の筐体からなる洗浄機本体２と、この洗浄機本体２に設けられた洗浄室Ｓの開閉を行うステンレス製のフード状ドアＤ１及びＤ２とから主として構成されている。この食器洗浄機１は、いわゆる同時ドアオープンタイプと呼ばれるものであり、左右のドアＤ１とドアＤ２を同時に開閉させることができる。
【００１４】
この洗浄機本体２は、４本の脚３により床上に支持され、洗浄機本体２の下部には機械室及び洗浄タンクが形成され、この機械室内には、洗浄用ポンプ、すすぎ用ポンプ、制御用の電装箱Ｇなどが収容されている。これに対し、洗浄機本体２の上部に配置されたハウジング４内には洗浄室Ｓが形成されている。このハウジング４は、外装を形成するステンレス製の前側外装パネル６と後側外装パネル７と天井側の外装パネル８とからなる。洗浄室Ｓの上部には、フリー回転自在な上側洗浄ノズル及び上側すすぎノズルが配置されている。同様に、洗浄室Ｓの下部にも、下側洗浄ノズル及び下側すすぎノズルが配置されている。このような上下２段のノズル構成によって、洗浄効率やすすぎ効率が高められる。
【００１５】
また、洗浄室Ｓ内において、下側すすぎノズルの上方には、食器ラック（図示せず）を載置させるための金属製ラックレールが着脱自在に配置されている。この食器ラックは、飲食後の皿、茶碗、コップなどの食器を一括して自動洗浄するためのものである。この食器ラックを格子状に形成することで、食器を上下から同時に洗うことができる。また、左右のドアＤ１とドアＤ２とが同時に開閉するので、洗浄前の食器を載せた食器ラックを片側から洗浄室Ｓ内に搬入しながら、洗浄後の食器ラックを押し出すような作業が可能になり、流れ作業性が容易になる。
【００１６】
次に、前述した食器洗浄機１の動作について簡単に説明する。なお、洗浄運転時においては、前回のすすぎの際に洗浄水タンク内に溜められている６０°Ｃ程度の洗浄水が利用される。先ず、前側外装パネル６の表面上部に設けられた操作パネル１０（図１参照）の洗浄開始ボタンをＯＮすると、洗浄用の循環ポンプによって洗浄水が上側及び下側洗浄ノズルから噴射を開始する。このとき、各洗浄ノズルは、噴射力の反力によって常に回転し続け、このような回転によって洗浄水が満遍なく食器に当たり続けるので、食器から汚損物が効率良く洗い落とされる。そして、洗浄工程を所定時間行った後、すすぎ工程に移行する。
【００１７】
すすぎ運転時においては、所定容量をもったすすぎ水タンク内に溜められている８０°Ｃの新鮮な温水が利用される。そして、すすぎ工程に移行した際、すすぎ用の循環ポンプの駆動により、新鮮なすすぎ水が上側及び下側すすぎノズルから噴射すると、各すすぎノズルは、噴射力の反力によって常に回転し続け、このような回転により、すすぎ水が満遍なく食器に当たり続け、食器を効率良くすすぎ続ける。なお、すすぎ時に洗浄水タンク内に溜められる温水は、水の利用効率を高めるために洗浄水として再利用される。
【００１８】
一連の洗浄すすぎ工程が終了した後、ドアＤ１及びドアＤ２を開け、未洗浄食器を載せた食器ラックを片側から洗浄室Ｓ内に搬入しながら、洗浄後の食器ラックを押し出す。そして、新たな食器ラックのセッティングが完了した後、ドアＤ１及びドアＤ２を同時に閉めて、新たな洗浄を開始する。
【００１９】
ここで、左右のドアＤ１とドアＤ２との同時開閉機構Ａについて説明する。なお、この同時開閉機構Ａは、洗浄室Ｓを形成する洗浄パネル１１と外装を形成する前側外装パネル６との間の間隙部Ｒ１と、洗浄パネル１１と後側外装パネル７との間の間隙部Ｒ２とに対称関係をもって収容されているが、説明の都合上、間隙部Ｒ１のみについて説明する。
【００２０】
図３に示すように、間隙部Ｒ１における同時開閉機構Ａは、基端がドアＤ１に対し溶接等により固定された第１の連結棹１２を有している。この第１の連結棹１２の遊端は、前側外装パネル６に軸支され、第１の連結棹１２の軸部１２ａには、Ｌ字状の第１の回動アーム（いわゆる「スプリングアーム」）１４が固定されている。同様に、間隙部Ｒ１における同時開閉機構Ａは、基端がドアＤ２に対し溶接等により固定された第２の連結棹２２を有している。この連結棹２２の遊端は、前側外装パネル６に軸支され、第２の連結棹２２の軸部２２ａには、Ｌ字状の第２の回動アーム（いわゆる「スプリングアーム」）２４が固定されている。さらに、同時開閉機構Ａは、第１の回動アーム１４と第２の回動アーム２４とを連結する補助スプリング２５を備えている。この補助スプリング２５の一端は、第１の回動アーム１４において軸部１２ａの僅か下方に固定され、補助スプリング２５の他端は、第２の回動アーム２４において軸部２２ａの僅か下方に固定される。
【００２１】
このように、ドア閉鎖状態において、補助スプリング２５は、軸部１２ａ，２２ａの下側に位置するため、第１及び第２の回動アーム１４、２４を介して各ドアＤ１，Ｄ２は閉じる方向に付勢され、ドアＤ１，Ｄ２の閉鎖状態が維持される（図３参照）。これに対し、図４に示すように、各ドアＤ１，Ｄ２を開放した場合には、この補助スプリング２５は、軸部１２ａ，２２ａよりも上側に位置するため、各回動アーム１４、２４を介して各ドアＤ１，Ｄ２は開放される方向に付勢され、ドアＤ１，Ｄ２の開放状態が維持される。
【００２２】
また、第１の回動アーム１４と前側外装パネル６とは、斜め掛けされた２本の引張りスプリング２６で連結され、同様に、第２の回動アーム２４と前側外装パネル６とは、斜め掛けされた２本の引張りスプリング２７で連結されている。また、各スプリング２６、２７及び補助スプリング２５のバネ力は、各ドアＤ１，Ｄ２の自重を考慮して、各ドアＤ１，Ｄ２を閉じた状態（図３参照）と開放した状態（図４参照）にて、閉じた状態及び開放した状態が保持されるように設定されている。なお、ドアＤ１，Ｄ２の開閉は近接スイッチ２８により検知され、この近接スイッチ２８は、第１の回動アーム１４の下端に取り付けられた可動側のマグネット２８ａと、洗浄パネル１１側に取り付けられた固定側の検知部２８ｂとから構成され、マグネット２８ａが検知部２８ｂから離れることで、ドアＤ１，Ｄ２の開放状態が検知されることになる。
【００２３】
このような両開きドアをもった食器洗浄機１では、図１に示すように、制御用の電装箱Ｇと、前側外装パネル６の上部に設けられた操作パネル１０とを、配線Ｌを介して電気的に接続させる必要があり、洗浄パネル１１と前側外装パネル６との間の間隙部Ｒ１に配線Ｌを這わせている。しかしながら、間隙部Ｒ１内に配線Ｌを単に収容しているだけでは、食器洗浄機１の動作中において配線Ｌが間隙部Ｒ１内で暴れる虞があり、これによって、断線などが起こり易くなる。特に、この食器洗浄機１では、間隙部Ｒ１内に同時開閉機構Ａの種々の部品が収容されているので、配線Ｌが特に断線し易い。
【００２４】
そこで、図３に示すように、第１の回動アーム１４と第２の回動アーム２４との間に金属製の配線収容部材３０を配置させる。このような位置に配線収容部材３０を設けると、第１の回動アーム１４と第２の回動アーム２４とが互いに不用意に衝突する事態が回避され、同時開閉機構Ａの機械的な損傷防止が可能になる。このような配線収容部材３０は、図５及び図６に示すように、間隙部Ｒ１内で鉛直方向に延在するように配置されると共に、細長い第１の平板部３１と、第１の平板部３１の左右の端部から突出して互いに平行をなす一対の第２及び第３の平板部３２，３３とで断面略コ字状に形成されている。そして、第１〜第３の平板部３１〜３３で囲まれた空間部が、縦長の配線収容空間Ｆとして形成されることになる。
【００２５】
従って、第１の平板部３１と一対の第２及び第３の平板部３２，３３とで断面略コ字状に形成された縦長の配線収容空間Ｆに沿うように配線Ｌを這わすことで、配線Ｌが間隙部Ｒ１内で適切に収容される。また、断面略コ字状の配線収容部材３０の第１の平板部３１を、洗浄パネル１１の裏面側に粘着テープ（例えば両面テープ）で固着すると、この配線収容部材３０を補強材として利用することができ、洗浄パネル１１の撓みが防止される。なお、第１の平板部３１を、前側外装パネル６の裏面側に固着させた場合には、前側外装パネル６の補強が可能となる。
【００２６】
さらに、間隙部Ｒ１内には、配線収容空間Ｆの少なくとも一部を塞ぐように配線収容部材３０に嵌め込まれるスペーサ３５（図７参照）が配置されている。このスペーサ３５は、振動吸収性の高い発泡ポリエチレンで成形されると共に、洗浄パネル１１及び前側外装パネル６のいわゆる「ビビリ音」を低減させるために、前側外装パネル６に裏から押し当てられる。さらに、スペーサ３５には、配線収容空間Ｆ内に嵌り込む断面矩形の突起部３５ａが設けられている。図６に示すように、この突起部３５ａを所定量だけ配線収容部材３０内に押し込むことで、配線収容空間Ｆを狭めることができ、これにより、配線収容部材３０内での配線Ｌの暴れが可能な限り小さくなる。
【００２７】
このようなスペーサ３５の採用によって、配線Ｌが配線収容部材３０から飛び出すことを適切に防止する。更に、このスペーサ３５は、洗浄室Ｓを形成する洗浄パネル１１と前側外装パネル６との間の間隙部Ｒ１内に収容されるので、洗浄パネル１１と前側外装パネル６との接触や撓みを適切に防止することができる。さらに、このスペーサ３５の肉厚によって、洗浄パネル１１と前側外装パネル６との間の間隙部Ｒ１を一定に保つことができ、第１及び第２の回動アーム１４，２４のスムーズな動作が確保される。
【００２８】
また、第２の平板部３２の遊端には、第３の平板部３３に向けて突出する第１の係止片３２ａが一体的に形成され、この係止部３２ａは、第１の平板部３１に対して平行に延在する。同様に、第３の平板部３３の遊端には、第２の平板部３２に向けて突出する第２の係止片３３ａが一体的に形成され、この係止部３３ａは、第１の平板部３１に対して平行に延在する。
【００２９】
これに対し、スペーサ３５には、それぞれの第１及び第２の係止片３２ａ，３３ａを挿入するための左右一対の切り込み溝３５ｂ，３５ｂが、第２及び第３の平板部３２，３３の長手方向に延在するように設けられている。そして、各切り込み溝３５ｂ，３５ｂは、第２及び第３の平板部３２，３３の長手方向において、スペーサ３５の全長の下から上に架けて途中まで延在する。よって、配線収容部材３０にスペーサ３５を組み付ける際、各係止片３２ａ，３３ａに対しスペーサ３５を上から装着することができる。従って、配線収容部材３０に対するスペーサ３５の組み付け作業が容易になり、配線収容部材３０からスペーサ３５が脱落し難くなる。また、スペーサ３５は、配線収容部材３０の第２及び第３の平板部３２，３３に対して着脱自在であるから、現場でのメンテナンスの際に前側外装パネル６を外した場合でも、配線Ｌの取り扱い性が良好になる。
【００３０】
さらに、第１の回動アーム１４と第２の回動アーム２４とに掛け渡される補助スプリング２５の位置を考慮して、第２及び第３の平板部３２，３３の上部には、第１及び第２の係止片３２ａ，３３ａの上方に位置するようにＬ字状の切除部３２ｂ，３３ｂが形成されている。また、第２及び第３の平板部３２，３３の上端には連通孔３２ｃ，３３ｃが形成されている。従って、左右の連通孔３２ｃ，３３ｃを貫通させるように結束バンド（例えばコンベックス）４０を配線収容部材３０に装着することで、配線収容部材３０の上端から配線Ｌが飛び出すのを防止する。同様に、第２及び第３の平板部３２，３３の下端には連通孔３２ｄ，３３ｄが形成されている。従って、左右の連通孔３２ｄ，３３ｄを貫通させるように樹脂製の結束バンド（例えばコンベックス）４１を配線収容部材３０に装着することで、配線収容部材３０の下端から配線Ｌが飛び出すのを防止する。このような締結バンド４０，４１の採用により、現場でのメンテナンスが容易になる。
【００３１】
本発明は、前述した実施形態に限定されるものではない。例えば、図８及び図９に示すように、スペーサ４５には、第２及び第３の平板部３２，３３に対し遊端側から嵌り込む左右一対の切り込み溝４５ｂ，４５ｂが、第２及び第３の平板部３２，３３の長手方向に延在して設けられている。そして、スペーサ４５の切り込み溝４５ｂ，４５ｂの間に形成された突起部４５ａは、配線収容空間Ｆ内に嵌り込む。なお、洗浄パネル１１と後側外装パネル７との間に前述の配線収容部材３０を配置させてもよい。スペーサ３５，４５の材質、個数、長さなどは用途に応じて適宜変更されるものである。
【００３２】
【発明の効果】
本発明による食器洗浄機は、以上のように構成されているため、次のような効果を得る。すなわち、洗浄室を形成する洗浄パネルと、外装を形成する外装パネルとの間の間隙部に配線を収容した食器洗浄機において、間隙部に配置されると共に、第１の平板部とこの第１の平板部から突出して互いに平行をなす一対の第２及び第３の平板部とで断面略コ字状に形成されて内部に配線収容空間が形成された配線収容部材と、配線収容空間の少なくとも一部を塞ぐように配線収容部材に嵌め込まれて、間隙部に配置されるスペーサとを備えたことにより、食器洗浄機における配線の損傷が起きに難くなる。
【図面の簡単な説明】
【図１】本発明に係る食器洗浄機の一実施形態を示す正面図である。
【図２】図１の側面図である。
【図３】ドア閉鎖状態の食器洗浄機の外装パネルを外した状態を示す正面図である。
【図４】ドアの開放状態を示す正面図である。
【図５】配線収容部材及びスペーサを示す斜視図である。
【図６】洗浄パネルと外装パネルとの間に配線収容部材及びスペーサを配置させた状態を示す断面図である。
【図７】スペーサを示す斜視図である。
【図８】配線収容部材及びスペーサの他の例を示す斜視図である。
【図９】洗浄パネルと外装パネルとの間に、図８の配線収容部材及びスペーサを配置させた状態を示す断面図である。
【符号の説明】
１…食器洗浄機、６…前側外装パネル（外装パネル）、１１…洗浄パネル、１４…第１の回動アーム、２４…第２の回動アーム、３０…配線収容部材、３１…第１の平板部、３２…第２の平板部、３２ａ…第１の係止片、３３…第３の平板部、３３ａ…第２の係止片、３５，４５…スペーサ、３５ａ，４５ａ…突起部、３５ｂ，４５ｂ…切り込み溝、Ｓ…洗浄室、Ｆ…配線収容空間、Ｄ１，Ｄ２…ドア、Ｒ１，Ｒ２…間隙部、Ｌ…配線。
【図１】
2004313611.tif 000003
【図２】
2004313611.tif 000004
【図３】
2004313611.tif 000005
【図４】
2004313611.tif 000006
【図５】
2004313611.tif 000007
【図６】
2004313611.tif 000008
【図７】
2004313611.tif 000009
【図８】
2004313611.tif 000010
【図９】
2004313611.tif 000011